(57)【要約】【課題】複数の単位モチーフを繋ぎ合わせて構成するパッチワークキルトの制作過程において、裁断作業を簡易とするだけでなく、統一された規格を持った単位モチーフから成る見目美しいパッチワークキルトを容易に作成することのできる型紙を提案する。【解決手段】単位モチーフＭを構成する土台布、当布及びドミット芯となる布片を裁断するためのユニットパッチワーク型紙セットＵとして、基本型紙として土台布裁ち用型紙Ａ、土台布折り用型紙Ｂ、当布裁ち用型紙Ｃ、当布折り用型紙Ｄ、ドミット芯裁ち用型紙Ｋを備え、さらに、土台布又は当布、若しくは、土台布及び当布を二の部分に分割した形状の裁ち用型紙である、分割土台布裁ち用型紙Ｅ・Ｆ、分割当布裁ち用型紙Ｇ・Ｈを備えた。前記型紙には、位置合わせの目安となる補助線を記した。【選択図】      図２
2004169238.tif 000002
【特許請求の範囲】
【請求項１】
パッチワークキルト構成する単数又は複数の単位モチーフを作成するためのユニットパッチワーク型紙セットであって、土台布裁ち用型紙、土台布折り用型紙、当布裁ち用型紙を備えることを特徴とするユニットパッチワーク型紙セット。
【請求項２】
パッチワークキルト構成する単数又は複数の単位モチーフを作成するためのユニットパッチワーク型紙セットであって、土台布裁ち用型紙、土台布折り用型紙、当布裁ち用型紙、当布折り用型紙を備えることを特徴とするユニットパッチワーク型紙セット。
【請求項３】
請求項１又は請求項２に記載のユニットパッチワーク型紙セットにおいて、
土台布又は当布、若しくは、土台布及び当布を二の部分に分割した形状の裁ち用型紙を備えることを特徴とするユニットパッチワーク型紙セット。
【請求項４】
請求項１乃至請求項３のいずれか一項に記載のユニットパッチワーク型紙セットにおいて、
裁ち用型紙に、折り用型紙の外形と略同形の補助線を記すことを特徴とするユニットパッチワーク型紙セット。
【発明の詳細な説明】
【０００１】
【発明の属する技術分野】
本発明は、パッチワークに使用する型紙に関する。
【０００２】
【従来の技術】
パッチワークは、小さく切断された布片或いは皮革等を接ぎ合わせることにより一つの面を形成する手芸の一手法である。
パッチワークの手法として、例えば、全体の基礎となる土台布に、布片を成形したパッチワーク片を縫い付けて行くことにより構成するアメリカンパッチワークや、特許文献及び特許文献２に記載の技術のように、複数の単位モチーフ（ユニットモチーフ）を接ぎ合わせるとにより表裏それぞれにモチーフを表現できるようにしたリバーシブルユニットパッチワーク等がある。
【０００３】
大規模なパッチワークを構成するためには、一定形状のパッチワーク片が大量に必要となる。
通常、パッチワーク片を構成する布片を作成するためには、型紙を作成し、該型紙を布に固定したうえ、縫い線と、縫い代を想定して決定した裁断線に印を付け、裁断線に沿って布を裁断し布片とする。
【０００４】
ところが、パッチワークの形状は複雑であるため、見目良いパッチワークを仕上げるための型紙を製作することは、パッチワークで表現する模様が複雑となるほど困難な作業となる。そこで、例えば、特許文献４に記載の技術では、星形を表現するパッチワークを形成するために、楕円や円の形状の布片に切断するための型紙が提案されている。
また、パッチワーク片は同形状のものが大量に必要となるため、容易に大量のパッチワーク片製作用の布片を裁断するために、特許文献３や特許文献５に記載の技術では、連続して複数の布片を裁断可能としたり、縫い代を見込んだ布片の裁断を容易としたりするための型紙が提案されている。
【０００５】
【特許文献１】
特開平１０−２７７２７９号公報
【特許文献２】
実開昭５７−３９９９０号公報
【特許文献３】
実登３０８０４１８号公報
【特許文献４】
実開平７−２８６９１号公報
【特許文献５】
実開平６−２００９０号公報
【０００６】
【発明が解決しようとする課題】
本発明では、単数又は複数の単位モチーフを繋ぎ合わせて構成するパッチワークキルトの製作過程において、単位モチーフを構成する布片の裁断作業や印付け作業を簡易とするとともに、複数の単位モチーフを作成するにあたり、該単位モチーフより統一した形状に作成して見目美しいパッチワークキルトを製作することを容易とするためのパッチワーク用の型紙を提案する。
【０００７】
【課題を解決するための手段】
本発明の解決しようとする課題は以上の如くであり、次にこの課題を解決するための手段を説明する。
【０００８】
即ち、請求項１においては、パッチワークキルト構成する単数又は複数の単位モチーフを作成するためのユニットパッチワーク型紙セットであって、土台布裁ち用型紙、土台布折り用型紙、当布裁ち用型紙を備えるものである。
【０００９】
請求項２においては、パッチワークキルト構成する単数又は複数の単位モチーフを作成するためのユニットパッチワーク型紙セットであって、土台布裁ち用型紙、土台布折り用型紙、当布裁ち用型紙、当布折り用型紙を備えるものである。
【００１０】
請求項３においては、請求項１又は請求項２に記載のユニットパッチワーク型紙セットにおいて、土台布又は当布、若しくは、土台布及び当布を二の部分に分割した形状の裁ち用型紙を備えるものである。
【００１１】
請求項４においては、請求項１乃至請求項３に記載のユニットパッチワーク型紙セットにおいて、裁ち用型紙に、折り用型紙の外形と略同形の補助線を記すものである。
【００１２】
【発明の実施の形態】
次に、発明の実施の形態を説明する。
図１は本発明の第一実施例に係るユニットパッチワーク型紙セットを示した図、図２は本発明の第二実施例に係るユニットパッチワーク型紙セットを示した図、図３は本発明の第三実施例に係るユニットパッチワーク型紙セットを示した図である。図４は本発明の第四実施例に係るユニットパッチワーク型紙セットを示した図、図５は本発明の第五実施例に係るユニットパッチワーク型紙セットを示した図、図６は本発明の第六実施例に係るユニットパッチワーク型紙セットを示した図、図７は本発明の第七実施例に係るユニットパッチワーク型紙セットを示した図、図８は本発明の第七実施例に係るユニットパッチワーク型紙セットを示した図、図９は本発明の第七実施例に係るユニットパッチワーク型紙セットを示した図である。
図１０乃至図１５は第一実施例に係る単位モチーフの製作工程を示す図、図１６は第一実施例に係るユニットパッチワーク型紙セットを使用して製作した単位モチーフを示す図であり（ａ）は表面図（ｂ）は裏面図である。
図１７乃至図２１は第二実施例に係る単位モチーフの製作工程を示す図、図２２は第二実施例に係るユニットパッチワーク型紙セットを使用して製作した単位モチーフを示す図であり（ａ）は表面図（ｂ）は裏面図、図２３は単位モチーフを繋げて構成したパッチワークキルトの一例を示す図であり（ａ）は表面図（ｂ）は裏面図、図２４は分割土台布裁ち用型紙を使用して構成した土台布の一例を示す図、図２５は第二実施例に係るユニットパッチワーク型紙セットを使用して製作した単位モチーフを示す図であり（ａ）は表面図（ｂ）は裏面図、図２６は土台布と当布による単位モチーフのデザイン構成例を示す図である。
図２７乃至図３０は第三実施例に係る単位モチーフの製作工程を示す図、図３１は第三実施例に係るユニットパッチワーク型紙セットを使用して製作した単位モチーフを示す図であり（ａ）は表面図（ｂ）は裏面図、図３２は分割土台布裁ち用型紙を使用して構成した土台布の一例を示す図、図３３は第三施例に係るユニットパッチワーク型紙セットを使用して製作した単位モチーフを示す図であり（ａ）は表面図（ｂ）は裏面図、図３４は分割土台布裁ち用型紙を使用して構成した土台布の一例を示す図、図３５は第三施例に係るユニットパッチワーク型紙セットを使用して製作した単位モチーフを示す図であり（ａ）は表面図（ｂ）は裏面図、図３６は第三実施例に係る単位モチーフを繋げて製作したパッチワークキルトの一例を示す図であり（ａ）は表面図（ｂ）は裏面図である。
図３７は第四実施例に係るユニットパッチワーク型紙セットを使用して製作した単位モチーフを示す図であり（ａ）は表面図（ｂ）は裏面図、図３８は第四実施例に係るユニットパッチワーク型紙セットを使用して製作した単位モチーフを示す図であり（ａ）は表面図（ｂ）は裏面図、図３９は第四実施例に係る単位モチーフを繋げて製作したパッチワークキルトの一例を示す図であり（ａ）は表面図（ｂ）は裏面図である。
図４０及び図４１は第五実施例に係るユニットパッチワーク型紙セットを使用して製作した単位モチーフを示す図であり（ａ）は表面図（ｂ）は裏面図、図４２は第六実施例に係るユニットパッチワーク型紙セットを使用して製作した単位モチーフを示す図であり（ａ）は表面図（ｂ）は裏面図、図４３は第七実施例に係るユニットパッチワーク型紙セットを使用して製作した単位モチーフを示す図であり（ａ）は表面図（ｂ）は裏面図、図４４は第七実施例に係る単位モチーフを繋げて製作したパッチワークキルトの一例を示す図であり（ａ）は表面図（ｂ）は裏面図である。
図４５及び図４６は第八実施例に係るユニットパッチワーク型紙セットを使用して製作した単位モチーフを示す図であり（ａ）は表面図（ｂ）は裏面図、図４７及び図４８は第九実施例に係るユニットパッチワーク型紙セットを使用して製作した単位モチーフを示す図であり（ａ）は表面図（ｂ）は裏面図、図４９は第八実施例に係るユニットパッチワーク型紙セットを使用して製作した単位モチーフ及び第九実施例に係るユニットパッチワーク型紙セットを使用して製作した単位モチーフを組み合わせて構成したパッチワークキルトの一例を示す図であり（ａ）は表面図（ｂ）は裏面図である。
【００１３】
本実施例に係るリバーシブルパッチワークキルトは、一つ一つの単位モチーフ（ユニットモチーフ）Ｍを多数組作り、これを連結して一枚のパッチワークキルトとするものであり、単位モチーフＭ毎に土台布と当布が存在するので、裏面である土台布にも模様が発生し、これにより、表裏共に模様の異なるデザイン性の高いリバーシブルパッチワークキルトとなる。
各単位モチーフＭは、円形又は角型の土台布を、表側へ向けて折り曲げて、内部にドミット芯と当布を入れて縫い合わせることにより作成される。そして、該単位モチーフＭを連続的に縫い合わせて繋ぐことにより、リバーシブルパッチワークキルトの表裏の模様が構成される。
【００１４】
上述のような、単位モチーフＭを繋ぎ合わせて構成するリバーシブルパッチワークキルトでは、単位モチーフＭを構成する土台布や当布又は両方を分断して模様の異なる布を縫い合わせることにより構成して、単位モチーフＭのデザインを多様化し、該単位モチーフＭによってパッチワークキルト全体で多種多様な表現をすることができるようにしている。
【００１５】
そして、前記リバーシブルパッチワークキルトを構成する単位モチーフＭの製作工程において、本発明に係るユニットパッチワーク型紙セットＵを利用することにより、単位モチーフＭの製作を容易とするとともに、単位モチーフＭの規格の統一を容易に図ることができるようにしたものであり、より簡易にパッチワークキルト製作を楽しむことができるようにしたものである。
【００１６】
前記ユニットパッチワーク型紙セットＵには、基本型紙として、土台布の裁断線を決定するための土台布裁ち用型紙Ａ、土台布を折る際に利用する土台布折り用型紙Ｂ、ドミット芯の裁断線を決定するためのドミット芯裁ち用型紙Ｋ、当布の裁断線を決定するための当布裁ち用型紙Ｃ、当布を折る際に利用する当布折り用型紙Ｄが備えられている。
前記基本型紙のうち、ドミット芯裁ち用型紙Ｋ、当布裁ち用型紙Ｃ、当布折り用型紙Ｄは、製作しようとする単位モチーフＭのデザインにより、基本型紙に備えられない場合もある。
【００１７】
これらの型紙には、それぞれ位置合わせの目安となる補助線が記されている。例えば、土台布裁ち用型紙Ａには、土台布折り用型紙Ｂの外形状と略同一の形状の線と、型紙の略中心を通り対向する辺の中点を結ぶ中線や、対角線等が、補助線として記されている。中線や対角線は、土台布を折る際に折目の目安や、接ぎ合わせる布片や当布の位置合わせの目安として利用される。また、土台布折り用型紙Ｂには、型紙の略中心を通り対向する辺の中点を結ぶ線や、対角線等が、補助線として記されている。このように、略相似形の型紙があるときには、記されている補助線により補助線を見分けることができる。
そして、土台布裁ち用型紙Ａに記された土台布折り用型紙Ｂの外形状と略同一の形状の線に合わせて土台布折り用型紙Ｂを載置すると、これらの型紙に記されている補助線が重複するように構成されて、より位置合わせのし易いように、また、複数パターンの型紙ユニットが存在するときには、補助線により型紙がどの型紙ユニットに属するか判断できるように構成されている。
【００１８】
さらに、前記基本型紙に加え、土台布や当布又は両方を分断して模様の異なる布を縫い合わせるための、分割土台布裁ち用型紙Ｅ・Ｆや分割当布裁ち用型紙Ｇ・Ｈが備えられている。
分割土台布裁ち用型紙Ｅ・Ｆは、例えば、土台布が円形である場合には、１／４円土台布裁ち用型紙と３／４円土台布裁ち用型紙の組み合わせや、１／３円土台布裁ち用型紙と２／３円土台布裁ち用型紙の組み合わせ等がある。
分割土台布裁ち用型紙Ｅ・Ｆは、該分割土台布裁ち用型紙Ｅ・Ｆに沿った形状に裁断した布片を接ぎ合わせることにより一枚の土台布を構成することができるように、型紙が組み合わせで備えられている。同様に、分割当布裁ち用型紙Ｇ・Ｈは、該分割当布裁ち用型紙Ｇ・Ｈに沿った形状に裁断した布片を接ぎ合わせることにより一枚の当布を構成することができるように、型紙が組み合わせで備えられている。
【００１９】
なお、前記型紙のうち裁ち用の型紙（Ａ・Ｃ・Ｅ・Ｆ・Ｇ・Ｈ）は、土台布又は当布に縫い代が必要である場合には、縫い代が含まれた形状に形成されており、型紙の外周線が即ち裁断線となり、印付け作業及び裁断作業が簡易化が図られている。
【００２０】
図１に示すユニットパッチワーク型紙セットＵ（１０Ｕ）の第一実施例では、略正方形の土台布裁ち用型紙１０Ａ、略正方形の土台布折り用型紙１０Ｂ、略正方形の当布裁ち用型紙１０Ｃ、略正方形の当布折り用型紙１０Ｄがユニットパッチワーク型紙セットＵ（１０Ｕ）に備えられており、土台布折り用型紙１０Ｂはドミット芯裁ち用型紙としての機能を備えている。
第一実施例に係るユニットパッチワーク型紙セットＵ（１０Ｕ）を使用することにより、例えば、図１６に示すような、略正方形であって、表面に周囲を土台布に囲まれた略正方形の当布が現れ、裏面に土台布が現れた単位モチーフＭ（１０Ｍ）を作成することができる。このように、略正方形の土台布から略正方形の単位モチーフを作ることができる。
【００２１】
図２に示すユニットパッチワーク型紙セットＵ（２０Ｕ）の第二実施例では、略円形の土台布裁ち用型紙２０Ａ、略円形の土台布折り用型紙２０Ｂ、略正方形の当布裁ち用型紙２０Ｃ、３／４円土台布裁ち用型紙２０Ｅ、１／４円土台布裁ち用型紙２０Ｆがユニットパッチワーク型紙セットＵ（２０Ｕ）に備えられており、土台布折り用型紙２０Ｂはドミット芯裁ち用型紙としての機能を備え、当布裁ち用型紙２０Ｃは土台布折り用型紙としての機能を備えている。
第二実施例に係るユニットパッチワーク型紙セットＵ（２０Ｕ）を使用することにより、例えば、図２２や図２５に示すような、略正方形であって、表面に周囲を土台布に囲まれた略星芒形の当布が現れ、裏面に土台布が現れた単位モチーフＭ（２０Ｍ・２０Ｍ’）を作成することができる。このように、略円形の土台布から略正方形の単位モチーフを作ることができる。
【００２２】
図３に示すユニットパッチワーク型紙セットＵ（２１Ｕ）の第三実施例では、略円形の土台布裁ち用型紙２１Ａ、略円形の土台布折り用型紙２１Ｂ、略正三角形のドミット芯裁ち用型紙２１Ｋ、２／３円土台布裁ち用型紙２１Ｅ、１／３円土台布裁ち用型紙２１Ｆがユニットパッチワーク型紙セットＵに備えられており、ドミット芯裁ち用型紙２１Ｋは土台布折り用型紙としての機能を備えている。第三実施例に係るユニットパッチワーク型紙セットＵ（２１Ｕ）を使用することにより、例えば、図３１、図３３及び図３５に示すような、全体が略正三角形であって、表裏面に土台布が現れた単位モチーフＭ（２１Ｍ・２１Ｍ’）を作成することができる。このように、略円形の土台布から略正三角形の単位モチーフを作ることができる。
【００２３】
図４に示すユニットパッチワーク型紙セットＵ（２２Ｕ）の第四実施例では、略円形の土台布裁ち用型紙２２Ａ、略円形の土台布折り用型紙２２Ｂ、略菱形のドミット芯裁ち用型紙２２Ｋ、スライス円土台布裁ち用型紙２２Ｅ、スライス円土台布裁ち用型紙２２Ｆがユニットパッチワーク型紙セットＵ（２２Ｕ）に備えられており、ドミット芯裁ち用型紙２２Ｋは土台布折り用型紙としての機能を備えている。
第四実施例に係るユニットパッチワーク型紙セットＵ（２２Ｕ）を使用することにより、例えば、図３７及び図３８に示すような、全体が略菱形であって、表裏面に土台布が現れた単位モチーフＭ（２２Ｍ・２２Ｍ’）を作成することができる。このように、略円形の土台布から略菱形の単位モチーフを作ることができる。
【００２４】
図５に示すユニットパッチワーク型紙セットＵ（２４Ｕ）の第五実施例では、略円形の土台布裁ち用型紙２４Ａ、略円形の土台布折り用型紙２４Ｂ、略正六角形の当布裁ち用型紙２４Ｃ、１／３当布裁ち用型紙２４Ｇ、２／３当布裁ち用型紙２４Ｈがユニットパッチワーク型紙セットＵ（２４Ｕ）に備えられており、当布裁ち用型紙２４Ｃはドミット芯裁ち用型紙及び土台布折り用型紙としての機能を備えている。
第五実施例に係るユニットパッチワーク型紙セットＵ（２４Ｕ）を使用することにより、例えば、図４０や図４１に示すような、全体が略正六角形であって、表面に周囲を土台布に囲まれた当布が現れ、裏面に土台布が現れた単位モチーフＭ（２４Ｍ・２４Ｍ’）を作成することができる。このように、円形の土台布から略正六角形の単位モチーフを作ることができる。
【００２５】
図６に示すユニットパッチワーク型紙セットＵ（２３Ｕ）の第六実施例では、略円形の土台布裁ち用型紙２３Ａ、略円形の土台布折り用型紙２３Ｂ、略正八角形の当布裁ち用型紙２３Ｃ、１／４当布裁ち用型紙２３Ｇ、３／４当布裁ち用型紙２３Ｈがユニットパッチワーク型紙セットＵ（２３Ｕ）に備えられており、当布裁ち用型紙２３Ｃはドミット芯裁ち用型紙及び土台布折り用型紙としての機能を備えている。
第六実施例に係るユニットパッチワーク型紙セットＵ（２３Ｕ）を使用することにより、例えば、図４２に示すような、全体が略正八角形であって、表面に周囲を土台布に囲まれた当布が現れ、裏面に土台布が現れた単位モチーフＭ（２３Ｍ）を作成することができる。このように、円形の土台布から略正八角形の単位モチーフを作ることができる。
【００２６】
図７に示すユニットパッチワーク型紙セットＵ（２５Ｕ）の第七実施例では、略正六角形の土台布裁ち用型紙２５Ａ、略正六角形の土台布折り用型紙２５Ｂ、略正六角形の当布裁ち用型紙２５Ｃ、略正六角形の当布折り用型紙２５Ｄがユニットパッチワーク型紙セットＵ（２５Ｕ）に備えられており、土台布折り用型紙２５Ｂはドミット芯裁ち用型紙としての機能を備えている。
第七実施例に係るユニットパッチワーク型紙セットＵ（２５Ｕ）を使用することにより、例えば、図４３に示すような、全体が略正六角形であって、表面に周囲を土台布に囲まれた略正六角形の当布が現れ、裏面に土台布が現れた単位モチーフＭ（２５Ｍ）を作成することができる。このように、略正六角形の土台布から略正六角形の単位モチーフを作ることができる。
第七実施例に係るユニットパッチワーク型紙セットＵ（２５Ｕ）を使用して作成した単位モチーフＭ（２５Ｍ）を用いて、例えば、図４４に示すような、略菱形であって表裏面の意匠の異なるパッチワークキルトを構成することができる。
【００２７】
図８に示すユニットパッチワーク型紙セットＵ（２６Ｕ）の第八実施例では、略円形の土台布裁ち用型紙２６Ａ、略円形の土台布折り用型紙２６Ｂ、略正五角形の当布裁ち用型紙２６Ｃ、１／５当布裁ち用型紙２６Ｇ、４／５当布裁ち用型紙２６Ｈがユニットパッチワーク型紙セットＵ（２６Ｕ）に備えられており、当布裁ち用型紙２６Ｃはドミット芯裁ち用型紙及び土台布折り用型紙としての機能を備えている。
第八実施例に係るユニットパッチワーク型紙セットＵ（２６Ｕ）を使用することにより、例えば、図４５及び図４６に示すような、全体が略正五角形であって、表面に周囲を土台布に囲まれた略五角形の当布が現れ、裏面に土台布が現れた単位モチーフＭ（２６Ｍ・２６Ｍ’）を作成することができる。このように、略円形の土台布から略正五角形の単位モチーフを作ることができる。
【００２８】
図９に示すユニットパッチワーク型紙セットＵ（２７Ｕ）の第九実施例では、略円形の土台布裁ち用型紙２７Ａ、略円形の土台布折り用型紙２７Ｂ、略正十角形の当布裁ち用型紙２７Ｃ、１／１０当布裁ち用型紙２７Ｇがユニットパッチワーク型紙セットＵ（２７Ｕ）に備えられており、当布裁ち用型紙２７Ｃはドミット芯裁ち用型紙及び土台布折り用型紙としての機能を備えている。
第九実施例に係るユニットパッチワーク型紙セットＵ（２７Ｕ）を使用することにより、例えば、図４７及び図４８に示すような、全体が略正十角形であって、表面に周囲を土台布に囲まれた略十角形の当布が現れ、裏面に土台布が現れた単位モチーフＭ（２７Ｍ・２７Ｍ’）を作成することができる。このように、略円形の土台布から略正十角形の単位モチーフを作ることができる。
第八実施例に係るユニットパッチワーク型紙セットＵ（２６Ｕ）を使用して作成した単位モチーフＭ（２６Ｍ・２６Ｍ’）と、第九実施例に係るユニットパッチワーク型紙セットＵ（２７Ｕ）を使用して作成した単位モチーフＭ（２７Ｍ・２７Ｍ’）とを組み合わせて、例えば、図４９に示すような、花形であって表裏面の意匠の異なるパッチワークキルトを構成することができる。
【００２９】
次に、本発明の第一実施例に係るユニットパッチワーク型紙セットＵ（１０Ｕ）を使用した単位モチーフＭの製作工程について説明する。
【００３０】
第一実施例では、図１に示す如く、ユニットパッチワーク型紙セットＵ（１０Ｕ）に、土台布裁ち用型紙１０Ａ、土台布折り用型紙１０Ｂ、当布裁ち用型紙１０Ｃ、当布折り用型紙１０Ｄが備えられている。
前記土台布裁ち用型紙１０Ａは、略正方形であって、土台布折り用型紙１０Ｂを位置合わせするための略正方形状の線１１と、対角及び向かい合う辺の中心同士を結ぶ線１２が補助線として記されている。土台布裁ち用型紙１０Ａは、予め縫い代を含めて形成されており、該土台布裁ち用型紙１０Ａの外周線が裁断線であり、印付け作業及び裁断作業を簡易としている。また、略正方形状の線１１は、土台布折り用型紙１０Ｂの外径と略同一の大きさであり、この線１１を土台布３１に印付けすることで、土台布折り用型紙１０Ｂの位置合わせを容易にしている。
土台布折り用型紙１０Ｂは、略正方形であって、土台布裁ち用型紙１０Ａよりも四周の縫い代ぶんだけ小さく、対角及び向かい合う辺の中心同士を結ぶ線１３が補助線として記されている。土台布折り用型紙１０Ｂはドミット芯裁ち用型紙としての機能も果たす。
当布裁ち用型紙１０Ｃは、略正方形であって、当布３３を位置合わせるための略正方形の線１４と、対角及び向かい合う辺の中心同士を結ぶ線１５が補助線として記されている。当布裁ち用型紙１０Ｃは、予め縫い代を含めて形成されており、該当裁ち用型紙１０Ｃの外周線が裁断線であり、印付け作業及び裁断作業を簡易としている。また、略正方形状の線１４は、当布折り用型紙１０Ｄの外径と略同一の大きさであり、この線１４を当布３３に印付けすることで、当布折り用型紙１０Ｄの位置合わせを容易にしている。
当布折り用型紙１０Ｄは、当布裁ち用型紙１０Ｃよりも四周の縫い代ぶんだけ小さく、対角及び向かい合う辺の中心同士を結ぶ線１６が補助線として記されている。
【００３１】
初めに、土台布裁ち用型紙１０Ａ、土台布折り用型紙１０Ｂ及び当布裁ち用型紙１０Ｃを使用して、布に各型紙の外周線である裁断線と、必要な補助線を印付けし、裁断線を裁って、図１０に示す如く、土台布３１、ドミット芯３２、当布３３となる布片を用意する。
続いて、図１１に示す如く、土台布３１の略中央に土台布折り用型紙１０Ｂを載せ、該土台布折り用型紙１０Ｂに沿って、型紙１０Ｂの右側→上側→左側→下側の順に内側へ谷折りし、アイロンで押えて型付ける。
【００３２】
そして、図１２に示す如く、土台布折り用型紙１０Ｂを土台布３１から外して、角を開き、角と土台布３１の略中心とを合わせるように折ったうえで、先程型付けした折目に沿って折り、土台布３１の周囲に額縁３１ａ・３１ａ・３１ａ・３１ａを形成する。
額縁３１ａ・３１ａ・３１ａ・３１ａを形成した状態で、アイロンで押えて型付けし、図１３に示す如く、額縁３１ａ・３１ａ・３１ａ・３１ａの一部を展開してドミット芯３２を額縁３１ａ・３１ａ・３１ａ・３１ａの内部に挿入し、額の部分をしつけ糸３４で縫い、しつけする。
【００３３】
次に、当布３３を折る。図１４に示す如く、当布３３の略中央に、当布折り用型紙１０Ｄを載置し、該型紙１０Ｄに沿って、型紙１０Ｄの右側→上側→左側→下側の順に縫い代部分を内側へ谷折りし、アイロンで押えて型を付ける。そして、当布折り用型紙１０Ｄを当布３３から取り外し、縫い代部分を折った状態で再度アイロンで押えて形を整える。
【００３４】
そして、図１５に示す如く、土台布３１に形成した額縁３１ａ・３１ａ・３１ａ・３１ａの略中央に、縫い代部分が合わせ面となるように当布３３を載せ、しつけ糸３５で縫ってしつけする。そして、当布３３の周囲をステッチ糸３６でステッチして、しつけ糸３４・３５を外すと、図１６に示す如く、単位モチーフＭ（１０Ｍ）が完成する。
上述の如く作成した単位モチーフＭ（１０Ｍ）は、全形が略正方形であって、表面は、土台布３１により四周部に形成された額縁３１ａ・３１ａ・３１ａ・３１ａの内部に当布３３が現れた状態となっている。また、裏面は、土台布３１が略正方形に現れ、ステッチ糸３６による略正方形のステッチが施された状態となっている。
前記単位モチーフＭ（１０Ｍ）を複数作成し、繋ぎ合わせていくことで一つのパッチワークキルトが完成する。
【００３５】
パッチワークキルトを見目良く構成するために、各単位モチーフＭ・Ｍ・・・は大きさ等が揃っていることが好ましい。従って、型紙を、裁断線及び補助線等の裁断のための印付けのためのみ使用するのではなく、布の折目型付け用の型紙として使用することで、曲線や直線を美麗に表現することができ、また、均一な単位モチーフＭを製作することができるようになる。
また、予め必要な型紙がユニットとして用意されていることで、その構造を容易に理解することができるとともに、型紙作成の手間及び技術を省くことができるため、初心者でもパッチワークキルトの製作に簡易に取り組むことができる。
【００３６】
次に、本発明の第二実施例に係るユニットパッチワーク型紙セットＵ（２０Ｕ）を使用した単位モチーフＭ（２０Ｍ）の製作工程について説明する。
【００３７】
第二実施例では、ユニットパッチワーク型紙セットＵ（２０Ｕ）に、土台布裁ち用型紙２０Ａ、第一土台布折り用型紙２０Ｂ、当布裁ち用型紙２０Ｃ、３／４円土台布裁ち用型紙２０Ｅ、１／４円土台布裁ち用型紙２０Ｆを備えている。
前記土台布裁ち用型紙２０Ａは、略円形であって、円周を八等分する線１２と、土台布折り用型紙２０Ｂ位置合わせのための線１１が補助線として記されている。
土台布折り用型紙２０Ｂは、略円形であって、前記土台布裁ち用型紙２０Ａよりも半径にして縫い代ぶんだけ小径に形成されている。
当布裁ち用型紙２０Ｃは、前記土台布折り用型紙２０Ｂの外周円に内接する略正方形状であり、ドミット芯裁ち用型紙と、土台布折り用型紙としての機能も果たす。
【００３８】
まず、土台布裁ち用型紙２０Ａ、当布裁ち用型紙２０Ｃを使用し、これらの型紙２０Ａ・２０Ｃの外周に沿って裁断線を印付けし、該裁断線に沿って布を裁断する。土台布裁ち用型紙２０Ａを使用して土台布４１を、当布裁ち用型紙２０Ｃを使用してドミット芯４２及び当布４３を裁断して、図１７に示す如く、各布片を用意する。なお、ドミット芯４２は、当布裁ち用型紙２０Ｃよりドミット芯地の厚み分を裁断線より差し引いて裁断する。
【００３９】
次に、図１８に示す如く、土台布４１の外周から数ｍｍ（０．３ｃｍ〜０．４ｃｍ程度）内周部を細かい針目（０．２ｍｍ〜０．３ｍｍ程度）で糸４４で環状にぐし縫いする。図１９に示す如く、ぐし縫いを終えた土台布４１の略中心に土台布折り用型紙２０Ｂを載置した状態で、ぐし縫いした糸４４を軽く引き絞り、土台布４１の周縁部を、内側へ折り込んでいく。土台布折り用型紙２０Ｂの外周形状に沿った状態となるまで、ぐし縫いした糸４４を引き絞り、周囲をアイロンで押えて型を付ける。この状態で、土台布４１は縫い代ぶん表側に折られた状態となっている。
さらに、土台布４１から土台布折り用型紙２０Ｂを外して、再度アイロンで土台布４１の周囲及び折り込まれた縫い代を押えて型を整える。
【００４０】
続いて、図２０に示す如く、土台布４１の縫い代がある表面に、当布裁ち用型紙２０Ｃを該土台布４１の円の中心に四辺が布目に沿うように置いて、当布裁ち用型紙２０Ｃの形状に沿って土台布４１を谷折りして、略円形の土台布４１を略正方形とし、アイロンで押えて型を付ける。このとき、当布裁ち用型紙２０Ｃを土台布折り用型紙として使用している。
そして、当布裁ち用型紙２０Ｃを土台布４１から外して、再度アイロンで押えて型を整える。
この状態において、土台布４１の全体は略正方形であって、裏は略平面状であって、表には各辺の周囲に弓状片４１ａ・４１ａ・４１ａ・４１ａが形成された状態となる。
【００４１】
図２１に示す如く、前記土台布４１の中心にドミット芯４２及び当布４３を重ねて置き、その上に弓状片４１ａ・４１ａ・４１ａ・４１ａを出して押えるように配置すれば、上から土台布４１の弓状片４１ａ、当布４３、ドミット芯４２、土台布４１の順に重合された状態となる。そして、弓状片４１ａ・４１ａ・４１ａ・４１ａの円弧状の周囲をぐし縫い風にしつけ糸で縫い、重合した状態でしつけする。
そして、弓状片の円弧状の周縁部をステッチ糸４５でステッチすれば、図２２に示す如く、単位モチーフＭ（２０Ｍ）が完成する。
【００４２】
上述の如く構成した単位モチーフＭ（２０Ｍ）は、全体的に略正方形であって、表には土台布４１で成る弓状片４１ａ・４１ａ・４１ａ・４１ａと、該弓状片４１ａ・４１ａ・４１ａ・４１ａに囲まれた空間に配置された当布４３との二種類の布が現れ、弓状片４１ａ・４１ａ・４１ａ・４１ａの円弧状の周囲にはステッチ糸４５による星芒形のステッチが現れている。一方、裏は全面に土台布４１が現れ、ステッチ糸４５による星芒形のステッチが現れている。
前記単位モチーフＭ（２０Ｍ）を複数製作し、繋ぎ合わせていくことで、図２３に示す如く、表裏面に異なるデザインを備えた一つのパッチワークキルトが完成する。
【００４３】
上述の第二実施例と同様の工程により単位モチーフＭを構成するにあたって、土台布４１を複数の布を接ぎ合わせて構成した土台布４１’とすることにより、単位モチーフＭ（２０Ｍ’）の表裏面に現れる模様を複雑にすることができる。
【００４４】
例えば、ユニットパッチワーク型紙セットＵ（２０Ｕ）に備えられた、３／４円の土台布裁ち用型紙２０Ｅと、１／４円の土台布裁ち用型紙２０Ｆを使用して土台布用の布片を裁ち、それぞれ異なる意匠の布で、３／４円土台布片と、１／４円土台布片とを用意する。３／４円の土台布裁ち用型紙２０Ｅ及び１／４円の土台布裁ち用型紙２０Ｆに記された接続線１７・１７に沿って、３／４円土台布片と、１／４円土台布片とを接ぎ合わせて、図２４に示す如く、全円状の土台布４１’を作り、該土台布４１’から前述の第二実施例と同様の工程で単位モチーフＭ（２０Ｍ’）を作成する。
【００４５】
上述の如く、３／４円土台布片と、１／４円土台布片を接ぎ合わせて土台布４１’を構成することにより、図２５に示す如く、単位モチーフＭ（２０Ｍ’）の表面には三種類の異なる布が現れ、裏面には二種類の異なる布が現れることとなる。
なお、１／４円の土台布裁ち用型紙２０Ｆを使用して、１／４円土台布片を接ぎ合わせて土台布を構成すれば、表面に最大で５種類の異なる布を現し、裏面に最大で４種類の異なる布を現すことができる。
【００４６】
そして、ユニットパッチワーク型紙セットＵ（２０Ｕ）に、３／４円の土台布裁ち用型紙２０Ｅと、１／４円の土台布裁ち用型紙２０Ｆから成る、分割土台布裁ち用型紙Ｅ・Ｆを備えることによって、複数種の布片から成る土台布を簡易且つ正確に作成することができる。従って、非常に多くの単位モチーフを繋ぎ合わせて構成するパッチワークキルトにおいて、同一規格の単位モチーフを大量且つ簡易に作成することができるため、見目良いパッチワークキルトとすることができ、また、型紙を作成したりデザインを構成したりこすることが困難な初心者にとっても、容易に複雑なデザインのパッチワークキルトに取り組むことができるようになる。
【００４７】
また、土台布４１と同様に、当布４３を複数の布を接ぎ合わせて構成することもできる。これにより、単位モチーフＭの表面に現すことのできる布の種類を増加させたり、異なる配色をすることで当布４３に表情を持たせたりすることができる。
このようにして、土台布や当布を、複数の布を接ぎ合わせて構成することにより、図２６に示す如く、同一のユニットパッチワーク型紙セットＵを用いて数十種類の単位モチーフＭを作ることができ、パッチワークキルトとしてより複雑な表現が可能となる。
【００４８】
次に、本発明の第三実施例に係るユニットパッチワーク型紙セットＵ（２１Ｕ）を使用した単位モチーフＭ（２１Ｍ）の製作工程について説明する。
【００４９】
第三実施例に係るユニットパッチワーク型紙セットＵ（２１Ｕ）を使用して製作された単位モチーフＭ（２１Ｍ）は、その全形が略正三角形であり、これらの単位モチーフＭ（２１Ｍ）を繋ぎ合わせることにより、例えば、六角形のパッチワークキルトを構成することができる。
図３に示す如く、ユニットパッチワーク型紙セットＵ（２１Ｕ）に、土台布裁ち用型紙２１Ａ、土台布折り用型紙２１Ｂ、ドミット芯裁ち用型紙２１Ｋ、２／３円土台布裁ち用型紙２１Ｅ、１／３円土台布裁ち用型紙２１Ｆが備えられている。
【００５０】
前記土台布裁ち用型紙２１Ａは、略円形であって、円周を三等分する線１２と、ドミット芯裁ち用型紙２１Ｋの位置合わせのための線１１が補助線として記されている。
土台布折り用型紙２１Ｂは略円形であって、前記土台布裁ち用型紙２１Ａよりも半径にして縫い代ぶんだけ小径に形成されている。
ドミット芯裁ち用型紙２１Ｋは、前記土台布折り用型紙２１Ｂの外周円に内接する略正三角形状であり、土台布折り用型紙としての機能も備えられている。
【００５１】
まず、図２７に示す如く、土台布裁ち用型紙２１Ａの外周に沿って裁断線を印付けし、該裁断線に沿って布を裁断し、略円形の土台布５１を用意し、ドミット芯裁ち用型紙２１Ｋの外周に沿って裁断線を印付けし、該裁断線に沿ってドミット芯布を裁断し、略正三角形のドミット芯５２を用意する。なお、ドミット芯５２は、ドミット芯裁ち用型紙２１Ｋよりドミット芯地の厚み分を裁断線より差し引いて裁断する。
【００５２】
次に、土台布５１の外周から数ｍｍ（０．３ｃｍ〜０．４ｃｍ程度）内周部を細かい針目（０．２ｍｍ〜０．３ｍｍ程度）で環状に糸５４でぐし縫いする。図２８に示す如く、ぐし縫いを終えた土台布５１の略中心に土台布折り用型紙２１Ｂを載置した状態で、ぐし縫いした糸５４を軽く引き絞り、土台布５１の周縁部を、内側へ折り込んでいく。土台布折り用型紙２１Ｂの外周形状に沿った状態となるまで、ぐし縫いした糸５４を引き絞り、周囲をアイロンで押えて型を付ける。この状態で、土台布５１は縫い代ぶんだけ表側に折られた状態となっている。
【００５３】
さらに、土台布５１から土台布折り用型紙２１Ｂを外して、再度アイロンで土台布５１の周囲及び折り込まれた縫い代を押えて形を整える。続いて、土台布５１の縫い代がある表面に、ドミット芯裁ち用型紙２１Ｋを該土台布５１の円の中心に置いて、ドミット芯裁ち用型紙２１Ｋの形状に沿って土台布５１を谷折りして、略円形の土台布５１を略正三角形とし、アイロンで押えて型を付ける。このとき、ドミット芯裁ち用型紙２１Ｋを土台布折り用型紙として利用している。
そして、ドミット芯裁ち用型紙２１Ｋを土台布５１から外して、再度アイロンで押えて形を整える。
この状態において、土台布５１の全体は略正三角形であって、裏面は全面に略平面状に土台布５１が現れ、表面には各辺の周囲に互いに重なり合った弓状片５１ａ・５１ａ・５１ａが形成された状態となる。
【００５４】
前記土台布５１を一旦開き、中心にドミット芯５２を置き、その上に弓状片５１ａ・５１ａ・５１ａを重ねて、上から土台布５１の弓状片５１ａ・５１ａ・５１ａ、ドミット芯５２、土台布５１の順に重合された状態とする。そして、弓状片５１ａ・５１ａ・５１ａの円弧状の周囲をぐし縫い風にしつけ糸で縫い、重合した状態でしつけする。
そして、弓状片５１ａ・５１ａ・５１ａの円弧状の周縁部の表に現れている部分をステッチ糸５５でステッチすれば、図３１に示す如く、単位モチーフＭ（２１Ｍ）が完成する。
【００５５】
上述の如く作成した単位モチーフＭ（２１Ｍ）は、表面は三枚の弓状片５１ａ・５１ａ・５１ａが重なり合い、各弓状片５１ａ・５１ａ・５１ａの境界線と略平行にステッチ糸５５による風車型のステッチが表現され、裏面は略平面状の土台布５１にステッチ糸５５による風車型のステッチが表現されている。
そして、単位モチーフＭ（２１Ｍ）を複数作成し、各単位モチーフＭ（２１Ｍ）を繋ぎ合わせて、六角形のパッチワークキルトを構成する。
【００５６】
そして、第三実施例においても、図３２に示す如く、２／３円土台布裁ち用型紙２１Ｅと、１／３円土台布裁ち用型紙２１Ｆを使用して、２／３円土台布片と１／３円土台布片を裁断し、これらの布片を２／３円土台布裁ち用型紙２１Ｅ及び１／３円土台布裁ち用型紙２１Ｆに記された接続線１７・１７に沿って接ぎ合わせて構成した土台布５１’を用いることで、単位モチーフＭ（２１Ｍ’）の表現を複雑に豊かにすることができる。
【００５７】
それぞれに異なる意匠である２／３円土台布片５１ｃと１／３円土台布片５１ｄを接ぎ合わせて略円形の土台布５１’を構成し、該土台布５１’を用いて上述の第三実施例の製作工程に沿って製作した単位モチーフＭ（２１Ｍ’）は、図３３に示す如く、表裏面に二種の異なる布が現れ、表面はほぼステッチによって分割された三区角のうち一区画に異なる布が現れ、裏面には三角形の頂点と中心を結ぶ線によって分割された三区角のうち一区画に三角形状に異なる布が現れる。
【００５８】
また、１／３円土台布裁ち用型紙２１Ｆを使用して、それぞれ異なる意匠の１／３円土台布片５１ｄ・５１ｄ・５１ｄを三枚用意し、図３４に示す如く、これらの１／３円土台布片を接ぎ合わせて円状の土台布５１’を構成し、該土台布を用いて前述と同様に単位モチーフＭを製作することもできる。この場合、図３５に示す如く、単位モチーフＭ（２１Ｍ’）の表裏面に三種の異なる布が現れ、表面はほぼステッチにより分割された三区角にそれぞれ異なる布が現れ、裏面は三角形の頂点と中心を結ぶ線によって分割された三区角にそれぞれ異なる布が現れる。
このようにして、分割土台布裁ち用型紙Ｅ・Ｆのうち、片方のみを使用して土台布を構成することもできる。
【００５９】
上述の如く構成した単位モチーフＭ（２１Ｍ・２１Ｍ’）を繋ぎ合わせると、図３６に示す如く、例えば、略正六角形のパッチワークキルトを構成することができる。土台布を複数の布片で構成することで、パッチワークキルトの両面に異なる意匠を表現することができる。また、同形状の単位モチーフであっても、土台布を複数の布片で構成することで、様々な意匠を表現することができる。
【００６０】
第三実施例と同様に、第四実施例に係るユニットパッチワーク型紙セットＵ（２２Ｕ）を使用して作成した単位モチーフＭ（２２Ｍ）においても、土台布を複数の布片で構成することで、図３７及び図３８に示す如く、それぞれ意匠の異なる単位モチーフＭ（２２Ｍ・２２Ｍ’）を構成することができる。第四実施例に係る単位モチーフＭ（２２Ｍ・２２Ｍ’）を組み合わせて繋ぎ合わせることで、例えば、図３９に示す如く、略菱形状のパッチワークキルトを構成することができる。この場合においても、該パッチワークキルトの表裏面に異なる意匠を表現することができる。
【００６１】
【発明の効果】
本発明は、以上のように構成したので、以下に示すような効果を奏する。
【００６２】
即ち、請求項１に示す如く、土台布裁ち用型紙、土台布折り用型紙、当布裁ち用型紙を備えるユニットパッチワーク型紙セットとしたの、裁ち用型紙により布の裁断作業が容易となり、また、折り用型紙を備えることにより統一された規格を持つ単位モチーフを複数製作することができる。
【００６３】
請求項２に示す如く、パッチワークキルト構成する単数又は複数の単位モチーフを作成するためのユニットパッチワーク型紙セットであって、土台布裁ち用型紙、土台布折り用型紙、当布裁ち用型紙、当布折り用型紙を備えるので、裁ち用型紙により布の裁断作業が容易となり、また、折り用型紙を備えることにより統一された規格を持つ単位モチーフを複数作成することができる。
【００６４】
請求項３に示す如く、請求項１又は請求項２に記載のユニットパッチワーク型紙セットにおいて、土台布又は当布、若しくは、土台布及び当布を二の部分に分割した形状の裁ち用型紙を備えるので、土台布又は当布を複数の布片から構成することが簡易となり、また、統一された規格を持つ単位モチーフを複数作成することができる。
【００６５】
請求項４に示す如く、請求項１乃至請求項３に記載のユニットパッチワーク型紙セットにおいて、裁ち用型紙に、折り用型紙の外形と略同形の補助線を記すので、土台布又は当布とこれらの折り用型紙との位置合わせが簡易となり、また、型紙の見分けるための印となる。
【図面の簡単な説明】
【図１】本発明の第一実施例に係るユニットパッチワーク型紙セットを示した図。
【図２】本発明の第二実施例に係るユニットパッチワーク型紙セットを示した図。
【図３】本発明の第三実施例に係るユニットパッチワーク型紙セットを示した図。
【図４】本発明の第四実施例に係るユニットパッチワーク型紙セットを示した図。
【図５】本発明の第五実施例に係るユニットパッチワーク型紙セットを示した図。
【図６】本発明の第六実施例に係るユニットパッチワーク型紙セットを示した図。
【図７】本発明の第七実施例に係るユニットパッチワーク型紙セットを示した図。
【図８】本発明の第八実施例に係るユニットパッチワーク型紙セットを示した図。
【図９】本発明の第九実施例に係るユニットパッチワーク型紙セットを示した図。
【図１０】第一実施例に係る単位モチーフの製作工程を示す図。
【図１１】第一実施例に係る単位モチーフの製作工程を示す図。
【図１２】第一実施例に係る単位モチーフの製作工程を示す図。
【図１３】第一実施例に係る単位モチーフの製作工程を示す図。
【図１４】第一実施例に係る単位モチーフの製作工程を示す図。
【図１５】第一実施例に係る単位モチーフの製作工程を示す図。
【図１６】第一実施例に係るユニットパッチワーク型紙セットを使用して製作した単位モチーフを示す図であり（ａ）は表面図（ｂ）は裏面図。
【図１７】第二実施例に係る単位モチーフの製作工程を示す図。
【図１８】第二実施例に係る単位モチーフの製作工程を示す図。
【図１９】第二実施例に係る単位モチーフの製作工程を示す図。
【図２０】第二実施例に係る単位モチーフの製作工程を示す図。
【図２１】第二実施例に係る単位モチーフの製作工程を示す図。
【図２２】第二実施例に係るユニットパッチワーク型紙セットを使用して製作した単位モチーフを示す図であり（ａ）は表面図（ｂ）は裏面図。
【図２３】単位モチーフを繋げて構成したパッチワークキルトの一例を示す図であり（ａ）は表面図（ｂ）は裏面図。
【図２４】分割土台布裁ち用型紙を使用して構成した土台布の一例を示す図。
【図２５】第二実施例に係るユニットパッチワーク型紙セットを使用して製作した単位モチーフを示す図であり（ａ）は表面図（ｂ）は裏面図。
【図２６】土台布と当布による単位モチーフのデザイン構成例を示す図。
【図２７】第三実施例に係る単位モチーフの製作工程を示す図。
【図２８】第三実施例に係る単位モチーフの製作工程を示す図。
【図２９】第三実施例に係る単位モチーフの製作工程を示す図。
【図３０】第三実施例に係る単位モチーフの製作工程を示す図。
【図３１】第三実施例に係るユニットパッチワーク型紙セットを使用して製作した単位モチーフを示す図であり（ａ）は表面図（ｂ）は裏面図。
【図３２】分割土台布裁ち用型紙を使用して構成した土台布の一例を示す図。
【図３３】第三施例に係るユニットパッチワーク型紙セットを使用して製作した単位モチーフを示す図であり（ａ）は表面図（ｂ）は裏面図。
【図３４】分割土台布裁ち用型紙を使用して構成した土台布の一例を示す図。
【図３５】第三施例に係るユニットパッチワーク型紙セットを使用して製作した単位モチーフを示す図であり（ａ）は表面図（ｂ）は裏面図。
【図３６】第三実施例に係る単位モチーフを繋げて製作したパッチワークキルトの一例を示す図であり（ａ）は表面図（ｂ）は裏面図。
【図３７】第四実施例に係るユニットパッチワーク型紙セットを使用して製作した単位モチーフを示す図であり（ａ）は表面図（ｂ）は裏面図。
【図３８】第四実施例に係るユニットパッチワーク型紙セットを使用して製作した単位モチーフを示す図であり（ａ）は表面図（ｂ）は裏面図。
【図３９】第四実施例に係る単位モチーフを繋げて製作したパッチワークキルトの一例を示す図であり（ａ）は表面図（ｂ）は裏面図。
【図４０】第五実施例に係るユニットパッチワーク型紙セットを使用して製作した単位モチーフを示す図であり（ａ）は表面図（ｂ）は裏面図。
【図４１】第五実施例に係るユニットパッチワーク型紙セットを使用して製作した単位モチーフを示す図であり（ａ）は表面図（ｂ）は裏面図。
【図４２】第六実施例に係るユニットパッチワーク型紙セットを使用して製作した単位モチーフを示す図であり（ａ）は表面図（ｂ）は裏面図。
【図４３】第七実施例に係るユニットパッチワーク型紙セットを使用して製作した単位モチーフを示す図であり（ａ）は表面図（ｂ）は裏面図。
【図４４】第七実施例に係る単位モチーフを繋げて製作したパッチワークキルトの一例を示す図であり（ａ）は表面図（ｂ）は裏面図。
【図４５】
第八実施例に係るユニットパッチワーク型紙セットを使用して製作した単位モ
チーフを示す図であり（ａ）は表面図（ｂ）は裏面図。
【図４６】
第八実施例に係るユニットパッチワーク型紙セットを使用して製作した単位モ
チーフを示す図であり（ａ）は表面図（ｂ）は裏面図。
【図４７】
第九実施例に係るユニットパッチワーク型紙セットを使用して製作した単位モ
チーフを示す図であり（ａ）は表面図（ｂ）は裏面図。
【図４８】
第九実施例に係るユニットパッチワーク型紙セットを使用して製作した単位モ
チーフを示す図であり（ａ）は表面図（ｂ）は裏面図。
【図４９】
第八実施例に係るユニットパッチワーク型紙セットを使用して製作した単位モ
チーフ及び第九実施例に係るユニットパッチワーク型紙セットを使用して製作した単位モチーフを組み合わせて構成したパッチワークキルトの一例を示す図であり（ａ）は表面図（ｂ）は裏面図。
【符号の説明】
Ｕ  ユニットパッチワーク型紙セット
Ａ  土台布裁ち用型紙
Ｂ  土台布折り用型紙
Ｃ  当布裁ち用型紙
Ｄ  当布折り用型紙
Ｅ  分割土台布裁ち用型紙
Ｆ  分割土台布裁ち用型紙
Ｇ  分割当布裁ち用型紙
Ｈ  分割当布裁ち用型紙
Ｋ  ドミット芯裁ち用型紙
Ｍ  単位モチーフ
【図１】
2004169238.tif 000003
【図２】
2004169238.tif 000004
【図３】
2004169238.tif 000005
【図４】
2004169238.tif 000006
【図５】
2004169238.tif 000007
【図６】
2004169238.tif 000008
【図７】
2004169238.tif 000009
【図８】
2004169238.tif 000010
【図９】
2004169238.tif 000011
【図１０】
2004169238.tif 000012
【図１１】
2004169238.tif 000013
【図１２】
2004169238.tif 000014
【図１３】
2004169238.tif 000015
【図１４】
2004169238.tif 000016
【図１５】
2004169238.tif 000017
【図１６】
2004169238.tif 000018
【図１７】
2004169238.tif 000019
【図１８】
2004169238.tif 000020
【図１９】
2004169238.tif 000021
【図２０】
2004169238.tif 000022
【図２１】
2004169238.tif 000023
【図２２】
2004169238.tif 000024
【図２３】
2004169238.tif 000025
【図２４】
2004169238.tif 000026
【図２５】
2004169238.tif 000027
【図２６】
2004169238.tif 000028
【図２７】
2004169238.tif 000029
【図２８】
2004169238.tif 000030
【図２９】
2004169238.tif 000031
【図３０】
2004169238.tif 000032
【図３１】
2004169238.tif 000033
【図３２】
2004169238.tif 000034
【図３３】
2004169238.tif 000035
【図３４】
2004169238.tif 000036
【図３５】
2004169238.tif 000037
【図３６】
2004169238.tif 000038
【図３７】
2004169238.tif 000039
【図３８】
2004169238.tif 000040
【図３９】
2004169238.tif 000041
【図４０】
2004169238.tif 000042
【図４１】
2004169238.tif 000043
【図４２】
2004169238.tif 000044
【図４３】
2004169238.tif 000045
【図４４】
2004169238.tif 000046
【図４５】
2004169238.tif 000047
【図４６】
2004169238.tif 000048
【図４７】
2004169238.tif 000049
【図４８】
2004169238.tif 000050
【図４９】
2004169238.tif 000051